(57)【要約】  バッテリーセル相互接続及び電圧感知アセンブリー及びそこにバッテリーセルアセンブリーを連結する方法  本発明は、バッテリーセル相互接続及び電圧感知アセンブリー及びバッテリーセルアセンブリーを接続する方法に関する。バッテリーセル相互接続及び電圧感知アセンブリーは、回路基板、電気的相互接続部材、及び電気的コネクタを包含する。回路基板は、電気的相互接続部材を受け入れるためのスロットをさらに包含する。バッテリーセルアセンブリーから来る電気端子は、電気的相互接続部材に接続される。回路基板は、電気的相互接続部材における電圧を電気的コネクタに誘導し、バッテリーセルアセンブリーの電圧を感知するための電気的トレースをさらに包含する。
2011526731.tif 000002
【特許請求の範囲】
【請求項１】
バッテリーセル相互接続及び電圧感知アセンブリーであって、
第一側部及び第二側部を有する回路基板と、
第一矩形プレート、第一側壁及び第二側壁、並びに第一及タブ及び第二タブを有する第一電気的相互接続部材と、及び
前記回路基板の前記第一側部上に配置され、第一電気的トレースに電気的に連結されてなる電気的コネクタとを備えてなるものであり、
前記回路基板が、前記回路基板の中を通して伸びる第一スロット及び第二スロット、及び第一開口部及び第二開口部をさらに包含してなり、
前記第二側部が、前記第二側部の上に配置された第一電気的トレースを有してなり、
前記第一矩形プレートが、前記回路基板の前記第一側部上に配置されてなり、
前記第一矩形プレートが、第一縁部、第二縁部、第三縁部、及び第四縁部をさらに有してなり、
前記第一側壁及び第二側壁が、前記第一縁部及び第二縁部から、それぞれ外向きに前記第一矩形プレートから第一方向に伸びてなり、
前記第一タブ及び第二タブが、前記第三縁部及び第四縁部から、それぞれ第二方向に、前記回路基板の前記第一開口部及び第二開口部を通して伸びてなり、
前記第一タブが、前記回路基板の前記第二側部上の前記第一電気的トレースに電気的に連結されてなり、
前記第一側壁が、第一バッテリーセルアセンブリーの、前記回路基板の前記第一スロットを通して伸びる第一電気端子と接触するように形成されてなり、
前記第二側壁が、第二バッテリーセルアセンブリーの、前記回路基板の前記第二スロットを通して伸びる第二電気端子と接触し、前記第一電気的相互接続部材が前記第一電気端子を前記第二電気端子に電気的に連結するように形成されてなり、
前記第一電気的トレースが、前記電気的コネクタから前記第一タブに伸び、前記第一タブで第一電圧を感知するものである、バッテリーセル相互接続及び電圧感知アセンブリー。
【請求項２】
前記第一電気的相互接続部材が、銅またはニッケルめっきされた銅から構築されてなる、請求項１に記載のバッテリーセル相互接続及び電圧感知アセンブリー。
【請求項３】
前記第一電気的相互接続部材に電気的に連結されたマイクロプロセッサをさらに備えてなり、
前記マイクロプロセッサが、前記第一電圧を測定し、前記第一電圧に関連する第一電圧値を記憶装置中に保存するように形成されてなる、請求項１に記載のバッテリーセル相互接続及び電圧感知アセンブリー。
【請求項４】
前記回路基板が、前記回路基板の中を通して伸びる第三スロット及び第四スロット、及び第三開口部及び第四開口部をさらに有してなり、
前記第二側部が、前記第二側部の上に配置された第二電気的トレースをさらに有してなり、
第二電気的相互接続部材が、第二矩形プレート、第三側壁及び第四側壁、及び第三タブ及び第四タブを有してなり、
前記第二矩形プレートが、前記回路基板の前記第一側部上に配置されてなり、
前記第二矩形プレートが、第五縁部、第六縁部、第七縁部、及び第八縁部を有してなり、
前記第三側壁及び第四側壁が、前記第五縁部及び第六縁部から、それぞれ外向きに前記第二矩形プレートから前記第一方向に伸びてなり、
前記第三タブ及び第四タブが、前記第七縁部及び第八縁部から、それぞれ前記第二方向に、前記回路基板の前記第三開口部及び第四開口部を通して伸びており、
前記第三タブが、前記回路基板の前記第二側部上の前記第二電気的トレースに電気的に連結されてなり、
前記第三側壁が、前記第二バッテリーセルアセンブリーの、前記回路基板の前記第三スロットを通して伸びる第三電気端子と接触するように形成されてなり、
前記第二側壁が、第三バッテリーセルの、前記回路基板の前記第四スロットを通して伸びる第四電気端子と接触し、前記第二電気的相互接続部材が前記第二バッテリー電気端子を前記第三バッテリー電気端子に電気的に連結するように形成されてなり、
前記電気的コネクタが、前記第二電気的トレースにさらに電気的に連結され、前記第二電気的トレースが前記電気的コネクタから前記第三タブに伸び、前記第三タブで第二電圧を感知するものである、請求項１に記載のバッテリーセル相互接続及び電圧感知アセンブリー。
【請求項５】
バッテリーセルをバッテリーセル相互接続及び電圧感知アセンブリーに連結する方法であって、
前記バッテリーセル相互接続及び電圧感知アセンブリーが、回路基板及び電気的相互接続部材を有してなり、
前記回路基板が、第一側部及び第二側部を有してなり、
前記回路基板が、前記回路基板の中を通して伸びる第一スロット及び第二スロット、及び第一開口部及び第二開口部をさらに有してなり、
前記電気的相互接続部材が、第一矩形プレート、第一側壁及び第二側壁、及び第一タブ及び第二タブを有してなり、
前記第一矩形プレートが、前記回路基板の前記第一側部上に配置されてなり、
前記第一矩形プレートが、第一縁部、第二縁部、第三縁部、及び第四縁部をさらに有してなり、
前記第一側壁及び第二側壁が、前記第一縁部及び第二縁部から、外向きに前記第一矩形プレートから第一方向に伸びてなり、
前記第一及び第二タブが、前記第三縁部及び第四縁部から、それぞれ第二方向に、前記回路基板の前記第一開口部及び第二開口部を通して伸びてなるものであり、
前記方法が、
第一バッテリーセルアセンブリーの第一電気端子を、前記回路基板の前記第一スロットを通して、前記第一電気端子が前記電気的相互接続部材の前記第一側壁と接触するように配置してなり、
第二バッテリーセルアセンブリーの第二電気端子を、前記回路基板の前記第二スロットを通して、前記第二電気端子が前記電気的相互接続部材の前記第二側壁と接触するように配置してなり、
前記第一電気端子を、前記電気的相互接続部材の前記第一側壁に超音波溶接してなり、及び
前記第二電気端子を、前記電気的相互接続部材の前記第二側壁に超音波溶接することを含んでなるものである、バッテリーセルをバッテリーセル相互接続及び電圧感知アセンブリーに連結する方法。
【発明の詳細な説明】
【技術分野】
【０００１】
本願は、一般的にはバッテリーセル相互接続及び電圧感知アセンブリー及びバッテリーセルアセンブリーをバッテリーセル相互接続及び電圧感知アセンブリーに連結する方法に関する。
【発明の背景】
【０００２】
バッテリーパックは、一般的に複数のバッテリーセルを有する。製造の際、バッテリーセル上の電極を互いの方に向けて曲げ、次いで、機械的固定具を使用して一つに、機械的に固定することができる。この方法に関連する問題は、電極が機械的に支持されず、そのために電極が曲がり、損傷することがある。
【０００３】
そのため、本発明者らは、上記の欠陥を最少に抑える、及び/または排除する、バッテリーセル相互接続及び電圧感知アセンブリーの必要性を認めている。
【発明の概要】
【０００４】
代表的な一実施態様によるバッテリーセル相互接続及び電圧感知アセンブリーを提供する。バッテリーセル相互接続及び電圧感知アセンブリーは、第一側部及び第二側部を有する回路基板を包含する。該回路基板は、その中を通して伸びる第一及び第二スロット、及び第一及び第二開口部をさらに包含する。該第二側部は、その上に配置された第一電気的トレースを有する。バッテリーセル相互接続及び電圧感知アセンブリーは、第一矩形プレート、第一及び第二側壁、及び第一及び第二タブを有する第一電気的相互接続部材をさらに包含する。該第一矩形プレートは、該回路基板の該第一側部上に配置されている。該第一矩形プレートは、第一、第二、第三、及び第四縁部をさらに有する。該第一及び第二側壁は、該第一及び第二縁部から、それぞれ外向きに該第一矩形プレートから第一方向に伸びている。該第一及び第二タブは、該第三及び第四縁部から、それぞれ第二方向に、該回路基板の該第一及び第二開口部を通して伸びている。該第一タブは、該回路基板の該第二側部上の該第一電気的トレースに電気的に連結されている。該第一側壁は、第一バッテリーセルアセンブリーの、該回路基板の該第一スロットを通して伸びる第一電気端子と接触するように形成されている。該第二側壁は、第二バッテリーセルアセンブリーの、該回路基板の該第二スロットを通して伸びる第二電気端子と接触し、該第一電気的相互接続部材が該第一電気端子を該第二電気端子に電気的に連結するように形成されている。バッテリーセル相互接続及び電圧感知アセンブリーは、該回路基板の該第一側部上に配置され、該第一電気的トレースに電気的に連結されている電気的コネクタをさらに包含し。該第一電気的トレースは、該電気的コネクタから該第一タブに伸び、該第一タブで第一電圧を感知する。
【０００５】
もう一つの代表的な実施態様により、バッテリーセルをバッテリーセル相互接続及び電圧感知アセンブリーに連結する方法を提供する。バッテリーセル相互接続及び電圧感知アセンブリーは、回路基板及び電気的相互接続部材を有する。該回路基板は、第一側部及び第二側部を有する。該回路基板は、その中を通して伸びる第一及び第二スロット、及び第一及び第二開口部をさらに有する。該電気的相互接続部材は、第一矩形プレート、第一及び第二側壁、及び第一及び第二タブを有する。該第一矩形プレートは、該回路基板の該第一側部上に配置されている。該第一矩形プレートは、第一、第二、第三、及び第四縁部をさらに有する。該第一及び第二側壁は、該第一及び第二縁部から、外向きに該第一矩形プレートから第一方向に伸びている。該第一及び第二タブは、該第三及び第四縁部から、それぞれ第二方向に、該回路基板の該第一及び第二開口部を通して伸びている。本方法は、第一バッテリーセルアセンブリーの第一電気端子を、該回路基板の該第一スロットを通して、該第一電気端子が該電気的相互接続部材の該第一側壁と接触するように配置することを包含する。本方法は、第二バッテリーセルアセンブリーの第二電気端子を、該回路基板の該第二スロットを通して、該第二電気端子が該電気的相互接続部材の該第二側壁と接触するように配置することをさらに包含する。本方法は、該第一電気端子を、該第一電気的相互接続部材の該第一側壁に超音波溶接することをさらに包含する。本方法は、該第二電気端子を、該電気的相互接続部材の該第二側壁に超音波溶接することをさらに包含する。
【図面の簡単な説明】
【０００６】
【図１】図1は、代表的な一実施態様によるバッテリーモジュールを図式的に示す図である。
【図２】図2は、図1のバッテリーモジュール中に使用するバッテリーセルアセンブリーを図式的に示す図である。
【図３】図3は、図1のバッテリーモジュール中に使用するバッテリーセル相互接続及び電圧感知アセンブリーを図式的に示す図である。
【図４】図4は、図3のバッテリーセル相互接続及び電圧感知アセンブリーの上側を図式的に示す図である。
【図５】図5は、図4のバッテリーセル相互接続及び電圧感知アセンブリーの下側を図式的に示す図である。
【図６】図6は、図3のバッテリーセル相互接続及び電圧感知アセンブリーに使用する電気的相互接続部材を図式的に示す図である。
【図７】図7は、図6の電気的相互接続部材を図式的に示す別の図である。
【図８】図8は、図6の電気的相互接続部材に電気的に連結された2個の、図2のバッテリーセルアセンブリーを図式的に示す図である。
【図９】図9は、図3のバッテリーセル相互接続及び電圧感知アセンブリーを使用して電圧値を測定するための装置を図式的に示す図である。
【図１０】図10は、バッテリーセルアセンブリーの電気端子を図3のバッテリーセル相互接続及び電圧感知アセンブリーに溶接するための超音波溶接装置を図式的に示す図である。
【代表的な実施態様の詳細な説明】
【０００７】
図1及び2に関して、電力を供給するためのバッテリーモジュール20を示す。バッテリーモジュール20は、外側ハウジング22、冷却マニホルド24、26、バッテリーセルアセンブリー28、30、32、34、36、40、42、44、熱交換機50、52、54、56、及びバッテリーセル相互接続及び電圧感知アセンブリー60を包含する。バッテリーセル相互接続及び電圧感知アセンブリー60の利点は、アセンブリー60が、(i)バッテリーセルアセンブリー電気端子を支持し、電流をバッテリーセルアセンブリー電気端子から導く電気的相互接続部材、及び(ii)電気的相互接続部材に電気的に連結された、電気的相互接続部材上の電圧を感知させる電気的トレースの両方を有することである。バッテリーセルアセンブリーは、その中に少なくとも一個のバッテリーセルを有するハウジングとして限定される。
【０００８】
外側ハウジング22は、その中にバッテリーセルアセンブリー28、30、32、34、36、40、42、44、及び熱交換機50、52、54、56を収容している。バッテリーセルアセンブリー28、30、32、34、36、40、42及び44は、それぞれ、その中に複数の、出力電圧及び電流を発生するバッテリーセルを有する。図2及び8に関して、例えば、バッテリーセルアセンブリー28は、その中に3個の、正電気端子202、204及び206を有するバッテリーセルを有する(バッテリーセルアセンブリー28の負電気端子は図8に示していない)。さらに、バッテリーセルアセンブリー30は、その中に3個の、負電気端子210、212及び214を有するバッテリーセルを有する(バッテリーセルアセンブリー30の正電気端子は図8に示していない)。
【０００９】
図1及び2に関して、冷却マニホルド24は、バッテリーセルアセンブリー28、30、32、34、36、40、42及び44中で流体貯蔵部から熱交換機50、52、54、56及び他の熱交換機(図には示していない)に流体を導き、バッテリーセルアセンブリー28、30、32、34、36、40、42及び44を冷却するように形成されている。冷却マニホルド26は、バッテリーセルアセンブリー28、30、32、34、36、40、42及び44中の熱交換機50、52、54、56及び他の熱交換機から加熱された流体を受け取り、その流体を流体貯蔵部に導くように形成されている。
【００１０】
図3、4及び5に関して、バッテリーセル相互接続及び電圧感知アセンブリー60は、回路基板70、電気的相互接続部材72、74、76、78、80及び電気的コネクタ82を包含する。アセンブリー60は、バッテリーセルアセンブリーを電気的に連結し、バッテリーセルアセンブリーの電圧を感知するための電気的トレース及び電気的コネクタを与える。
【００１１】
回路基板70は、側部90及び対向側部92を包含する。回路基板70は、その中を通って伸びるスロット96、98、100、102、104、106、108、110、112、114、116及び118をさらに包含する。スロット96、98、100、102、104、106、108、110、112、114、116及び118は、その中を通して、電気的相互接続部材から来る側壁を受入、電気的相互接続部材を回路基板70上に位置合わせする。回路基板70は、その中を通って伸びる開口部130、132、134、136、138、140、142、144、146及び148をさらに包含する。開口部130、132、134、136、138、140、142、144、146及び148は、その中を通して、電気的相互接続部材のタブを受け入れるように形成されている。回路基板70は、電気的相互接続部材の各タブから伸びる電気的トレースをさらに包含し、その電気的トレースは、回路基板70を通して、電気的コネクタ82の対応するピンに伸びる。例えば、電気的トレース162は、電気的相互接続部材76のタブから電気的コネクタ82の対応するピンに伸び、電気的相互接続部材76における電圧を測定する。さらに、電気的トレース160は、電気的相互接続部材72から電気的コネクタ82の対応するピンに伸び、電気的相互接続部材72における電圧を測定する。さらに、電気的トレース163は、電気的相互接続部材78から電気的コネクタ82の対応するピンに伸び、電気的相互接続部材78における電圧を測定する。回路基板70は、さらに他の電気的トレース(図には示していない)も有し、各電気的相互接続部材上の1個のタブに1個の電気的トレースがあり、その電気的トレースは、そのタブから電気的コネクタ82上の対応するピンに伸びる。
【００１２】
図4、5、6及び7に関して、電気的相互接続部材72、74、76、78及び80は、回路基板70に連結されるように形成されている。代表的な実施態様では、電気的相互接続部材72、74、76、78及び80は、銅またはニッケルめっきされた銅から構築される。しかし、別の実施態様では、他の導電性材料を使用し、電気的相互接続部材72、74、76、78及び80を構築することもできる。電気的相互接続部材72、74、76、78及び80のそれぞれは、第一バッテリーセルアセンブリー及び別のバッテリーセルアセンブリーから来る電気端子同士の間に連結され、電流を第一バッテリーセルアセンブリーから別のバッテリーセルアセンブリーに導くようにさらに構築される。
【００１３】
電気的相互接続部材72は、矩形プレート180、側壁182、184、及びタブ190、192を包含する。矩形プレート180の底部表面は、回路基板70の側部90上に配置される。矩形プレート180は、実質的に互いに平行に配置された縁部194、196及び実質的に互いに平行に配置された縁部198、199を包含する。側壁182、184は、縁部194、196からそれぞれ、矩形プレート180から第一方向で外向きに伸びている。タブ190、192は、縁部198、199から一般的に第一方向と反対の第二方向で伸びている。電気的相互接続部材74、76、78及び80の構造は、電気的相互接続部材72の構造と同一である。
【００１４】
電気的相互接続部材72を回路基板70の側部90上に配置する場合、タブ190、192は、回路基板70中の開口部96、98をそれぞれ通して伸びる。さらに、側壁182、184は、回路基板70の側部90から離れて上向きに伸びる。図8に関して、代表的な一実施態様では、電気的相互接続部材72の側壁182は、バッテリーセルアセンブリー30から来る電気端子210、212、214に、側壁182を電気端子210、212、214に超音波溶接することにより、連結される。さらに、電気的相互接続部材72の側壁184は、電気端子202、204及び206に、側壁184を電気端子202、204及び206に超音波溶接することにより、連結される。
【００１５】
図4及び5に関して、電気的相互接続部材74を回路基板70の側部90上に配置する場合、部材74のタブは、回路基板70中の開口部100、102をそれぞれ通して伸びる。さらに、部材74の側壁は、回路基板70の側部90から離れて上向きに伸びる。さらに、部材74の側壁は、一対のバッテリーセルアセンブリーから来る電気端子に連結される。
【００１６】
電気的相互接続部材76を回路基板70の側部90上に配置する場合、部材76のタブは、回路基板70中の開口部104、106をそれぞれ通して伸びる。さらに、部材76の側壁は、回路基板70の側部90から離れて上向きに伸びる。さらに、部材76の側壁は、一対のバッテリーセルアセンブリーから来る電気端子に連結される。
【００１７】
電気的相互接続部材78を回路基板70の側部90上に配置する場合、部材78のタブは、回路基板70中の開口部110、112をそれぞれ通して伸びる。さらに、部材78の側壁は、回路基板70の側部90から離れて上向きに伸びる。さらに、部材78の側壁は、一対のバッテリーセルアセンブリーから来る電気端子に連結される。
【００１８】
電気的相互接続部材80を回路基板70の側部90上に配置する場合、部材80のタブは、回路基板70中の開口部114、116をそれぞれ通して伸びる。さらに、部材80の側壁は、回路基板70の側部90から離れて上向きに伸びる。さらに、部材80の側壁は、一対のバッテリーセルアセンブリーから来る電気端子に連結される。
【００１９】
図4、5、6及び9に関して、電気的コネクタ82は、回路基板70の側部90上に配置する。電気的コネクタ82は、低電圧信号を電気的相互接続部材72、74、76、78及び82からバッテリーコントローラ220に導くために備える。電気的コネクタ82は、回路基板90の側部92上にある電気的トレースを経由して電気的相互接続部材72、74、76、78及び80に電気的に連結された回路基板70を通って伸びるピンを有する。
【００２０】
電気的相互接続部材に連結されたバッテリーセルアセンブリーにより出力されている電圧を示す、電気的相互接続部材のそれぞれに関連する電圧を測定するために、バッテリーコントローラ220を備える。コントローラ220は、マイクロプロセッサ221、入力/出力(I/O)インターフェース222、固定記憶装置223、及びランダムアクセスメモリー224を包含する。I/Oインターフェース222、固定記憶装置223、及びランダムアクセスメモリー224はマイクロプロセッサ221と、操作に関して通信する。I/Oインターフェース222は、バッテリーセル相互接続及び電圧感知アセンブリー60の電気的コネクタ82に電気的に連結されている。マイクロプロセッサ221は、電気的相互接続部材72、74、76、78、80から電気的コネクタ82を経由して受け取るサンプリング電圧に関する指示を与える。マイクロプロセッサ221は、さらに、電気的相互接続部材72、74、76、78及び80からそれぞれ受けた電圧に基づいて、電気的相互接続部材72、74、76、78及び80に関連する電圧値を決定する。マイクロプロセッサ221は、さらに、電圧値をランダムアクセスメモリー224中または不揮発性メモリー中に保存する。
【００２１】
図3に関して、理解するために、代表的な一実施態様により、バッテリーセル相互接続及び電圧感知アセンブリー60が、電流をバッテリーセルアセンブリーからどのように伝導するかを簡単に説明する。簡単にするために、第一バッテリーセルアセンブリーから来る一対の電気端子(例えば正電気端子及び負電気端子)及び第二バッテリーセルアセンブリーから来る一対の電気端子(例えば正電気端子及び負電気端子)だけを使用し、アセンブリー60が電流をバッテリーセルアセンブリーからどのように伝導するかを説明する。特に、バッテリーセルアセンブリー28は、電気的相互接続部材72に連結された負電気端子216及び正電気端子202を有する。さらに、バッテリーセルアセンブリー30は、電気的相互接続部材72に連結された負電気端子214及び電気的相互接続部材78に連結された正電気端子218を有する。従って、代表的な一実施態様では、バッテリーセルアセンブリー28、30から来る電流は、電気端子216、バッテリーセルアセンブリー28、電気端子202、電気的相互接続部材78、電気端子214、バッテリーセルアセンブリー28、電気端子218、及び電気的相互接続部材78を通っ直流で流れることができる。つまり、代表的な一実施態様では、電気的相互接続部材72、78が、バッテリーセルアセンブリー28、30を直列で互いに電気的に連結している。
【００２２】
図8及び10に関して、バッテリーセルアセンブリーから来る電気端子をバッテリーセル相互接続及び電圧感知アセンブリー60の電気的相互接続部材に超音波溶接するための装置230を例示する。装置230は、超音波溶接装置232、電気端子234、236、アクチュエータ装置238、及びコントローラ240を包含する。コントローラ240は、超音波溶接装置232及びアクチュエータ装置238と操作に関して通信する。
【００２３】
装置230を使用してバッテリーセルアセンブリーをバッテリーセル相互接続及び電圧感知アセンブリー60に連結する方法をここで説明する。簡単にするために、バッテリーセルアセンブリーの2個の電気端子をアセンブリー60の電気的相互接続部材に超音波溶接する方法を説明する。しかし、無論、バッテリーセルアセンブリーから来る複数の他の電気端子を、他の電気的相互接続部材に溶接することもできる。
【００２４】
最初に、使用者は、第一バッテリーセルアセンブリーの電気端子202を、回路基板70のスロット96を通して、電気端子202が電気的相互接続部材72の側壁184に接触するように配置する。
【００２５】
次に、使用者は、第二バッテリーセルアセンブリーの電気端子214を、回路基板70のスロット98を通して、電気端子214が電気的相互接続部材72の側壁182に接触するように配置する。
【００２６】
次に、コントローラ240が、アクチュエータ装置238を誘導し、溶接電極234を、側壁184の近くに移動させ、溶接電極236を、電気的相互接続部材72の側壁184に隣接して配置された電気端子202の近くに移動させ、電気端子202及び側壁184が、溶接電極234、236の間に挟まれるようにする。
【００２７】
次に、コントローラ240が、超音波溶接装置232を誘導し、溶接電極234、236を使用して電気端子202を側壁184に超音波溶接する。
【００２８】
次に、コントローラ240が、アクチュエータ装置238を誘導し、溶接電極234を、側壁182に隣接して配置された電気端子214の近くに移動させ、溶接電極236を、側壁236の近くに移動させ、電気端子214及び側壁182が、溶接電極234、236の間に挟まれるようにする。
【００２９】
次に、コントローラ240が、超音波溶接装置232を誘導し、電気端子214を電気的相互接続部材72の側壁182に超音波溶接する。
【００３０】
バッテリーセル相互接続及び電圧感知アセンブリー60は、バッテリーセルを一つに連結するための他の装置に対して、本質的な優位性を与える。特に、アセンブリー60には、バッテリーセルアセンブリーから来る電気端子を、電気的相互接続部材を使用して回路基板上に支持し、バッテリーセルアセンブリーから来る電流を、電気的相互接続部材を使用して導く技術的効果がある。さらに、アセンブリー60は、電圧信号を電気的相互接続部材から、電気的トレースを通して、電気的コネクタに導き、電気的相互接続部材のそれぞれにおける電圧を感知する。
【００３１】
本発明を代表的な実施態様に関連して説明したが、当業者には明らかなように、本発明の範囲から離れることなく、様々な変形を行い、等価物を本発明の要素に置き換えることができる。さらに、本発明の範囲から離れることなく、多くの修正を加え、特定の状況または材料を本発明の開示に適用することができる。従って、本発明は、本発明を実行するために開示した特定の実施態様に制限されるものではなく、本発明は、付随する請求項の範囲内に入る全ての実施態様を包含する。さらに、第一、第二、等の用語は、ある要素を他から区別するために使用する。さらに、ひとつの、ある、等の用語は、量を制限するものではなく、少なくとも一つの言及する事項の存在を意味する。
【図１】
2011526731.tif 000003
【図２】
2011526731.tif 000004
【図３】
2011526731.tif 000005
【図４】
2011526731.tif 000006
【図５】
2011526731.tif 000007
【図６】
2011526731.tif 000008
【図７】
2011526731.tif 000009
【図８】
2011526731.tif 000010
【図９】
2011526731.tif 000011
【図１０】
2011526731.tif 000012
【国際調査報告】
2011526731.tif 000013
2011526731.tif 000014
2011526731.tif 000015
2011526731.tif 000016